(57)【要約】【課題】布団を収納した状態で折りたたむことによりクッション（座布団）として使用することができる布団カバーに関し、カバーの汚損を抑制し、また、クッションとして用いる場合の装飾性も良好な布団カバーを提供すること。【解決手段】本発明の布団カバー１は、折りたたんでクッションとした場合に外側に現れる別布１４及び第２の別布１５が、第１のカバー１１及び第２のカバーの内面に載置されることにより布団カバー１の内側に隠れる構成であるため、通常の掛け布団等として使用する場合には別布等１４，１５が汚れることがなく、布団カバー１の汚損を効率よく抑制することができる。また、別布１４及び第２の別布１５に対して布団カバー１と異なる任意のデザインを施すことができるため、クッションとして用いる場合におけるデザインのバリエーションが広がり、装飾性が良好な布団カバー１となる。【選択図】図３
2008043718.tif 000002
【特許請求の範囲】
【請求項１】
略矩形状の第１のカバーと第２のカバーを重ね合わせて袋状とし、少なくとも１辺に開口部を形成し、当該開口部にはスライドファスナーが取り付けられて開閉自在とされ、収納する布団の出し入れを可能にした布団カバーであって、
前記第１のカバーの内面には、略矩形状の別布が、当該別布の隅部が前記第１のカバーの隅部に当接するように載置され、
前記別布の４辺のうち前記別布の隅部から延びる２辺は、前記第１のカバーの隅部から
延びる縦辺及び横辺に当接あるいは沿った状態で固定され、
前記第２のカバーの内面には、前記別布と略同形状の第２の別布が、当該第２の別布の隅部が前記第２のカバーの隅部に当接するように載置され、
前記第２の別布の４辺のうち前記第２の別布の隅部から延びる２辺は、前記第２のカバーの隅部から延びる縦辺及び横辺に当接あるいは沿った状態で固定され、
前記別布の残りの２辺と前記第２の別布の残りの２辺は、前記第１のカバー及び前記第２のカバーには固定されず、前記別布の残りの２辺と前記第２の別布の残りの２辺の対応する辺同士が接合され、
前記別布及び前記第２の別布は前記布団カバーの内側に隠れ、
前記第１のカバーの隅部及び前記第２のカバーの隅部から延びる２辺には、前記別布及び前記第２の別布の隅部から延びる２辺に沿ってリバーシブルファスナーが取り付けられ、
前記第１のカバーの隅部及び前記第２のカバーの隅部から延びる２辺が開閉自在とされていることを特徴とする布団カバー。
【請求項２】
前記別布及び／または前記第２の別布の表面に対して装飾処理が施されている請求項１
に記載の布団カバー。
【請求項３】
前記別布及び前記第２の別布の形状が、前記布団カバーの横辺の１／２と同じかやや長
い長さを長辺または短辺とする略長方形状、あるいは前記布団カバーの横辺の１／３と同
じかやや長い長さを長辺または短辺とする略長方形状であることを特徴とする請求項１ま
たは請求項２に記載の布団カバー。
【請求項４】
前記別布及び前記第２の別布の形状が、前記布団カバーの横辺の１／２と同じかやや長
い長さを１辺とする略正方形状、あるいは前記布団カバーの横辺の１／３と同じかやや長
い長さを１辺とする略正方形状であることを特徴とする請求項１または請求項２に記載の
布団カバー。
【請求項５】
前記別布及び／または前記第２の別布の表面における任意の隅部あるいは隅部付近にタ
ブが取り付けられていることを特徴とする請求項１ないし請求項４のいずれかに記載の布
団カバー。
【発明の詳細な説明】
【技術分野】
【０００１】
本発明は、布団カバーに関する。更に詳しくは、布団を収納した状態で折りたたむこと
によりクッションや座布団として使用することができる布団カバーに関する。
【背景技術】
【０００２】
掛け布団、敷き布団、毛布、シュラフといった布団類（以下、総称して「布団」という
場合がある。）は、そのままで使用すると布団の外装地が汚れてしまったり、損傷してし
まうことがあるため、別途布団カバーを被せて使用されることが多い。このような布団カ
バーは、布団の形状に対応する矩形状の表裏２枚の布地の３辺を縫製するとともに、残り
の１辺を開口させ、この１辺をスライドファスナーによって開閉可能にすることにより構
成され、布団カバーの開閉可能な１辺から内側に布団を入れて布団カバーを被せ、その１
辺のスライドファスナーを閉じて使用される。そして、布団カバーのみを交換、洗濯する
ことができるため、布団自体が汚れたりすること等を効率よく防止することができる。
【０００３】
一方、布団カバーが被せられた布団は、携帯性に乏しく、たとえ薄手のものであっても
、それを持ち運ぶためにはある程度の大きさまでそれを折りたたんで手提げ袋等に収納す
る必要があった。このようなことから、別途形成された正方形状の袋体等に布団を折りた
たんだ状態で収納することにより、収納時にはクッションの外観を呈するようにした商品
が開発されている。しかしながら、このような商品においては、別途形成された袋体の形
状に合わせて布団を折りたたみ、折りたたんだものをスライドファスナー等が配設された
袋体の開口部から収納する操作が非常に面倒であった。加えて、布団を袋体から取り出し
て使用するときに袋体が邪魔になったり、また、袋体を紛失してしまったりするという問
題が発生していた。
【０００４】
このような問題を解決するために、布団カバーに袋体の構成を兼ね備えるようにして、
通常使用時には展開状態で布団を被覆して寝具として使用できるとともに、布団として使
用しない場合にあっては、布団を被覆したまま小さく折りたたんだ状態で保持でき、クッ
ションや座布団（以下、総称して「クッション」とする場合がある。）にして使用するこ
とができる布団カバーが提供されていた。かかる布団カバーとしては、例えば、布団を出
し入れする開口部を備える袋状の第１のカバーと、この第１のカバーの一面側に（１）第
１のカバー及び第２のカバーがいずれも略矩形状に形成されており、第２のカバーの縦辺
及び横辺のうちのいずれか一方の辺の長さが、第１のカバーにおいて対応する一方の辺の
長さと略同じ長さであり、第１のカバーと第２のカバーとが、他方の辺を互いに重ね合わ
せた状態で一体化されている、（２）第２のカバーが、上記一方の辺を２分して一方部と
他方部とを折り重ねた状態で周縁部を係止しうる係止手段を備えている、（３）第２のカ
バーの上記一方の辺の片側または両側から、第２のカバーの他方の辺の長さ未満の長さ、
あるいは等分の折り返しにより第２のカバーの他方の辺の長さ未満となる長さの第１のカ
バーが延びた状態となっている、という（１）ないし（３）の３つの要件を具備するよう
に取り付けられた第２のカバーとから構成される布団カバーが提供されている（例えば、
特許文献１を参照。）。
【０００５】
また、別の構成としては、開閉自在の開口部を通して内側に布団を収容できる袋体の側
布に、ほぼ袋体と相似形で、これより小さな矩形を形成するように、互いに一端側から係
脱自在の一対のスライドファスナーを、ほぼコ字状に相対向させて縫着し、布団を収容し
た袋体のスライドファスナーより外側部を、布団と共にスライドファスナーの内側へ折り
込むと共に、スライドファスナーの中央線で２つ折りにし、一対のスライドファスナーを
係合させることによって、布団を折りたたんだ状態で保持できるようにする構成を採用す
る布団カバーも提供されている（例えば、特許文献２を参照。）。
【０００６】
【特許文献１】特開平７−２５０７５１号公報（［請求項１］、［図１］）
【特許文献２】特開平８−２９４４３７号公報（［請求項１］、［図１］）
【発明の開示】
【発明が解決しようとする課題】
【０００７】
しかしながら、前記した特許文献に開示される従来の構成にあっては、布団カバーの外
側に別途配設された袋体に対して布団カバーや布団を折りたたんで収納してクッションと
するため、クッションの外側に現れる部分は、布団カバーとして使用する時も含め常に外
側に現れてしまうため、かかるクッションの外側に現れる部分が汚れやすくなってしまい
、衛生上好ましくなかった。また、このように袋体が外側に現れる構成をとることから、
当該袋体に対して布団カバーと異なるデザインを施すことができないため、クッションと
して使った場合の装飾性に乏しかった。
【０００８】
本発明は、前記の課題に鑑みてなされたものであり、布団を収納した状態で掛け布団や
敷き布団として使用できるだけでなく、折りたたんだ状態でクッションとして使用するこ
とができる布団カバーであって、掛け布団等として使用する際にはクッションの外側に現
れる部分が内側に隠れるため、当該部分が汚れることを効率よく抑制することができるこ
とに加え、クッションの外側に現れる部分に対して布団カバーと異なる任意のデザインを
施すことができるため、クッションとして用いる場合の装飾性も良好な布団カバーを提供
することにある。
【課題を解決するための手段】
【０００９】
本発明の請求項１に係る布団カバーは、略矩形状の第１のカバーと第２のカバーを重ね
合わせて袋状とし、少なくとも１辺に開口部を形成し、当該開口部にはスライドファスナ
ーが取り付けられて開閉自在とされ、収納する布団の出し入れを可能にした布団カバーで
あって、前記第１のカバーの内面には、略矩形状の別布が、当該別布の隅部が前記第１の
カバーの隅部に当接するように載置され、前記別布の４辺のうち前記別布の隅部から延び
る２辺は、前記第１のカバーの隅部から延びる縦辺及び横辺に当接あるいは沿った状態で
固定され、前記第２のカバーの内面には、前記別布と略同形状の第２の別布が、当該第２
の別布の隅部が前記第２のカバーの隅部に当接するように載置され、前記第２の別布の４
辺のうち前記第２の別布の隅部から延びる２辺は、前記第２のカバーの隅部から延びる縦
辺及び横辺に当接あるいは沿った状態で固定され、前記別布の残りの２辺と前記第２の別
布の残りの２辺は、前記第１のカバー及び前記第２のカバーには固定されず、前記別布の
残りの２辺と前記第２の別布の残りの２辺の対応する辺同士が接合され、前記別布及び前
記第２の別布は前記布団カバーの内側に隠れ、前記第１のカバーの隅部及び前記第２のカ
バーの隅部から延びる２辺には、前記別布及び前記第２の別布の隅部から延びる２辺に沿
ってリバーシブルファスナーが取り付けられ、前記第１のカバーの隅部及び前記第２のカ
バーの隅部から延びる２辺が開閉自在とされていることを特徴とする。
【００１０】
本発明の請求項２に係る布団カバーは、前記した請求項１において、前記別布及び／ま
たは前記第２の別布の表面に対して装飾処理が施されていることを特徴とする。
【００１１】
本発明の請求項３に係る布団カバーは、前記した請求項１または請求項２において、前
記別布及び前記第２の別布の形状が、前記布団カバーの横辺の１／２と同じかやや長い長
さを長辺または短辺とする略長方形状、あるいは前記布団カバーの横辺の１／３と同じか
やや長い長さを長辺または短辺とする略長方形状であることを特徴とする。
【００１２】
本発明の請求項４に係る布団カバーは、前記した請求項１または請求項２において、前
記別布及び前記第２の別布の形状が、前記布団カバーの横辺の１／２と同じかやや長い長
さを１辺とする略正方形状、あるいは前記布団カバーの横辺の１／３と同じかやや長い長
さを１辺とする略正方形状であることを特徴とする。
【００１３】
本発明の請求項５に係る布団カバーは、前記した請求項１ないし請求項３のいずれかに
おいて、前記別布及び／または前記第２の別布の表面における任意の隅部あるいは隅部付
近にタブが取り付けられていることを特徴とする。
【発明の効果】
【００１４】
本発明の請求項１に係る布団カバーは、布団を収納した状態で掛け布団等として使用で
きるだけでなく、折りたたんだ状態で、第１のカバー及び第２のカバーの内面に載置した
別布及び第２の別布を外側に現し、リバーシブルファスナーを閉じることによりクッショ
ンとして使用することができる。また、クッションとすることができることにより、掛け
布団等として使用しない場合にも、保管について場所をとらず、携帯性・収納性にも優れ
る布団カバーである。更には、このように収納性に富んだ布団カバーとなるので、布団を
クッションとして、常に身近に携帯することもでき、また、布団を見た目にもすっきりし
た状態で片付けることができる等の利点もある。そして、第１のカバー及び第２のカバー
を折りたたんで収納する作業に労力を必要とせず、楽に収納することができる。
【００１５】
加えて、折りたたんでクッションとした場合に外側に現れる別布及び第２の別布が、第
１のカバー等の内面に載置されることにより布団カバーの内側に隠れるため、通常の掛け
布団等として使用する場合には別布等が汚れることが全くなく、布団カバーの汚損を効率
よく抑制することができる。そして、布団カバーの外観としても、通常の掛け布団等とし
て使用する場合には、別布等が外側に現れないことから布団カバーとしての美観も向上し
、また、別布等に対して布団カバーと異なる任意のデザインを施すことができるため、ク
ッションとして用いる場合におけるデザインのバリエーションが広がるので、装飾性が良
好な布団カバーとなる。
【００１６】
また、本発明の布団カバーを構成する別布と第２の別布における、別布の隅部あるいは
第２の別布の隅部から延びる２辺以外の残りの２辺が、第１のカバー及び第２のカバーと
固定されず、当該残りの２辺のそれぞれ対応する辺（向かい合う辺）同士が接合されてい
るので、２辺同士の固定状態が良好となり、クッションとした場合の形状も整いやすくな
るとともに、布団カバー内部における布団の挿入位置の選択性が向上し、扱いやすくなる
。更には、別布及び第２の別布を第１のカバーや第２のカバーに固定するための縫い目等
が外部に現れないため、外観が良好となり、また、当該固定する手間も省け、簡便に製造
することができる。
【００１７】
本発明の請求項２に係る布団カバーは、折りたたんでクッションとした場合に外側に現
れる別布や第２の別布の表面に対して装飾処理が施されているので、クッションとして使
用した場合における装飾性がより向上した布団カバーとなる。なお、装飾処理としては、
別布等の表面に対して、例えば、模様、色彩、絵柄等を施すようにすればよく、また、別
布と第２の別布の色（色相、明度、彩度）や柄（ストライプや花模様等）や素材（綿、麻
、ポリエステル、皮革等）等を工夫し、コーディネートするようにしてもよい。
【００１８】
本発明の請求項３に係る布団カバーは、別布及び第２の別布の形状が、布団カバーの横
辺の１／２と同じかやや長い長さを長辺または短辺とする略長方形状、あるいは布団カバ
ーの横辺の１／３と同じかやや長い長さを長辺または短辺とする略長方形状としたので、
折りたたんでクッションとした場合にあっては、使用性に優れた略長方形状のクッション
が簡便に形成されることになる。
【００１９】
本発明の請求項４に係る布団カバーは、別布及び第２の別布の形状が、布団カバーの横
辺の１／２と同じかやや長い長さを１辺とする略正方形状、あるいは布団カバーの横辺の
１／３と同じかやや長い長さを１辺とする略正方形状としたので、折りたたんでクッショ
ンとした場合にあっては、使用性に優れた略正方形状のクッションが簡便に形成されるこ
とになる。
【００２０】
本発明の請求項５に係る布団カバーは、別布及び／または第２の別布の表面における任
意の隅部あるいは隅部付近にタブが取り付けられているので、これら別布及び第２の別布
を外側に現すことによりクッションとして使用する場合にあっては、クッションの隅部に
かかるタブが現れることとなる。そしてクッションの隅部にあるタブを引っ張ることによ
りクッションの格好が整えやすくなる等、クッションとしての使い勝手が向上する。
【発明を実施するための最良の形態】
【００２１】
［第１実施形態］
以下、本発明の第１実施形態を図面に基づいて説明する。
【００２２】
（Ｉ）本発明の布団カバー１の構成：
図１ないし図５を用いて、本発明の布団カバーの一態様の構成を説明する。図１は、本
発明の第１実施形態に係る布団カバーの正面図、図２は布団カバーの背面図、図３は隅部
付近の部分拡大図、図４は図１において第１のカバーと第２のカバーを開いた展開図、図
５は図１のＶ−Ｖ断面図、をそれぞれ示す。図１ないし図５中、１は布団カバー、２は布
団、１１は第１のカバー、１２は第２のカバー、１３は開口部、１３１はスライドファス
ナー、１４は別布、１５は第２の別布、１６、１７はリバーシブルファスナー、１８はタ
ブ、をそれぞれ示す。なお、図４にあっては、スライドファスナー１３１及びリバーシブ
ルファスナー１６，１７は図示していない。また、図１等にあって、布団カバー１の縦辺
は長辺、横辺は短辺をいうものとする。
【００２３】
本実施形態の布団カバー１は、図１ないし図５に示すように、縦長の略矩形状の第１の
カバー１１及び第２のカバー１２を備え、この第１のカバー１１と第２のカバー１２を重
ね合わせて袋状としている。また、布団カバー１の４辺中の１辺には、布団２を出し入れ
する開口部１３が形成されている。この開口部１３にはスライドファスナー１３１が取り
付けられることにより開閉自在となり、収納する布団２の出し入れを可能とする。
【００２４】
図１ないし図５に示すように、第１のカバー１１の内面には、略正方形状の別布１４が
、当該別布の隅部１４ａが第１のカバーの隅部１１ａに当接するように載置されている。
かかる別布１４は、後記する第２の別布１５とともに、布団２を入れた布団カバー１を折
りたたんだ状態でクッション３（図１０参照）として使用した場合に、当該クッション３
の外側に現れる部分となる。また、別布１４には、装飾性を備えるべく、表面（第２のカ
バー１２の内面と対向する面であり、布団カバー１を折りたたんだ状態でクッション３と
して使用した場合に、クッション３の外側に現れる面のこと。以下別布１４について同。
）に対して模様（格子模様）が施されている。
【００２５】
また、図１ないし図５に示すように、略正方形状の別布１４は、４辺のうち別布の隅部
１４ａから延びる２辺１４ｘ，１４ｙ（図３及び図４参照）については、第１のカバーの
隅部１１ａから延びる縦辺１１ｘ及び横辺１１ｙ（図３及び図４参照）に当接した状態で
後記するリバーシブルファスナー１６，１７とともに縫製されて固定される。
【００２６】
図２は布団カバー１の背面図、図３は隅部１１ａ付近の部分拡大図を示す。別布１４の
残りの２辺１４ｖ，１４ｚは、後記する第２の別布１５の残りの２辺１５ｖ，１５ｚ（４
辺のうち第２の別布の隅部１５ａから延びる２辺１５ｘ、１５ｙ以外の残りの２辺１５ｖ
、１５ｚ）と併せて、第１のカバー１１及び第２のカバー１２には固定されていない。従
って、外部には別布１４や第２の別布１５と第２のカバー等１１，１２を固定するための
縫い目は現れず、外観も良好となる。なお、別布１４の残りの２辺１４ｖ，１４ｚは、後
記する第２の別布１５の残りの２辺１５ｖ，１５ｚと、それぞれの対応する辺（向かい合
う辺のこと。１４ｖと１５ｖ、１４ｚと１５ｚ）同士が互いに当接された状態で接合され
ている
【００２７】
図４は、図１において第１のカバー１１と第２のカバー１２を開いた展開図である（実
際は、別布の隅部１４ａは第１のカバーの隅部１１ａに当接し、別布の隅部１４ａから延
びる２辺１４ｘ，１４ｙが、第１のカバーの隅部１１ａから延びる縦辺１１ｘ及び横辺１
１ｙに当接した状態で後記するリバーシブルファスナー１６，１７とともに縫製されて固
定されているものである。）。なお、別布１４における、別布の隅部１４ａから延びる２
辺１４ｘ、１４ｙについては、第１のカバーの隅部１１ａから延びる縦辺１１ｘ及び横辺
１１ｙに当接した状態で固定されているが、当該縦辺１１ｘ及び横辺１１ｙに沿った状態
で固定されるようにしても構わない。
【００２８】
また、前記した別布１４と同じ形状の第２の別布１５が第２のカバー１２の内面に載置
されている。この第２の別布１５は、第２の別布の隅部１５ａが第２のカバーの隅部１２
ａに当接するようにして載置され、前記した別布１４と同様、表面（第１のカバー１１の
内面と対向する面であり、布団カバー１を折りたたんだ状態でクッション３として使用し
た場合に、クッション３の外側に現れる面のこと。以下第２の別布１５について同。）に
格子模様が施されている。
【００２９】
略正方形状の第２の別布１５は、４辺のうち第２の別布の隅部１５ａから延びる２辺１
５ｘ，１５ｙは、第２のカバーの隅部１２ａから延びる縦辺１２ｘ及び横辺１２ｙに当接
した状態で、後記するリバーシブルファスナー１６，１７とともに縫製されて固定される
。なお、かかる第２の別布１５における、第２の別布の隅部１５ａから延びる２辺１５ｘ
、１５ｙについては、別布１４と同様、第２のカバーの隅部１２ａから延びる縦辺１２ｘ
及び横辺１２ｙに当接した状態での固定のほか、当該縦辺１２ｘ及び横辺１２ｙに沿った
状態で固定されるようにしても構わない。
【００３０】
なお、前記したように、別布１４と第２の別布１５において、４辺のうち別布の隅部１
４ａから延びる２辺１４ｘ，１４ｙ以外の残りの２辺１４ｖ，１４ｚ、あるいは第２の別
布の隅部１５ａから延びる２辺１５ｘ，１５ｙ以外の残りの２辺１５ｖ，１５ｚは、第１
のカバー等１１，１２とは縫合・固定されず、それぞれの対応する辺（１４ｖと１５ｖ、
１４ｚと１５ｚ）同士が互いに当接された状態で接合されている（図４等を参照）。図５
は、図１のＶ−Ｖ断面図であるが、図５に示すように、第１のカバー１１の内面と別布１
４の裏面（別布１４の表面の反対側の面）との間に空間５、及び第２のカバー１２の内面
と第２の別布１５の裏面（第２の別布１５の表面の反対側の面）との間に空間６が形成さ
れることになる。このような構成として２つの空間５，６ができることにより、２辺（１
４ｖと１５ｖ、１４ｚと１５ｚ）同士が良好に固定された状態で、布団カバー内部におけ
る布団の挿入位置の選択性が向上し、扱いやすくなる。更には、折りたたんだ場合の形状
も整いやすくなる。そして、前記したように、別布１４及び第２の別布１５を第１のカバ
ー１１や第２のカバー１２に固定するための縫い目等が外部に現れないため、外観が良好
となり、また、当該固定する手間も省け、簡便に製造することができる。
【００３１】
また、別布１４の２辺１４ｖ，１４ｚ、あるいは第２の別布１５ｖ，１５ｚが衝合する
、別布１４及び第２の別布１５の表面における、別布の他の隅部１４ｂ（及び第２の別布
の他の隅部１５ｂ）にはタブ１８が取り付けられている。このようにしてタブ１８が取り
付けられていることにより、布団カバー１を折りたたんで別布１４及び第２の別布１５が
外側に現れる場合にあっては、折りたたんで形成されたクッション３（図１０参照）の隅
部にかかるタブ１８が現れることとなる。そしてクッション３の隅部にあるタブを引っ張
ることによりクッション３の格好が整えやすくなる等、クッション３としての使い勝手が
向上する。なお、タブ１８の位置は、別布の他の隅部１４ｂ（及び第２の別布の他の隅部
１５ｂ）付近としても問題はない。
【００３２】
本実施形態の布団カバー１のように、布団カバー１の縦辺と横辺（第１のカバー１１及
び第２のカバー１２の縦辺と横辺と同様。）が概ね縦辺／横辺＝３／２とした構成にあっ
ては、略正方形状の別布及び第２の別布の寸法は、１辺が布団カバー１の縦辺に対して１
／３と同じかやや長い長さ、また、布団カバー１の横辺に対して１／２と同じかやや長い
長さとすればよい。また、かかる寸法とした場合には、別布１４及び第２の別布１５は、
布団カバー１全体の１／６と同じかやや大きいサイズとなる。
【００３３】
また、別布１４及び第２の別布１５が載置された第１のカバー及び第２のカバーの隅部
１１ａ，１２ａから延びる２辺には、別布及び第２の別布の隅部１４ａ，１５ａから延び
る２辺１４ｘ，１４ｙ，１５ｘ，１５ｙに沿ってそれぞれリバーシブルファスナー１６，
１７が取り付けられている。これにより、第１のカバー及び第２のカバーの隅部１１ａ，
１２ａから延びる２辺が開閉自在となる。リバーシブルファスナー１６，１７は、それぞ
れのスライダ１６１，１７１を、これらのリバーシブルファスナー１６，１７が取り付け
られた隣り合う２辺（第１のカバー及び第２のカバーの隅部１１ａ，１２ａから延びる２
辺と同意。）が衝合する隅部１１ａ，１２ａに向かってスライドさせることにより閉じ、
これと逆に向かってスライドさせることにより開くようになっている。なお、かかるリバ
ーシブルファスナー１６，１７は、本実施形態のように隅部１１ａ，１２ａから延びる縦
辺１１ｘ，１２ｘ及び横辺１１ｙ，１２ｙのそれぞれに取り付ける構成のほか、１つのリ
バーシブルファスナーで、当該隅部１１ａ，１２ａから延びる縦辺１１ｘ，１２ｘ及び横
辺１１ｙ，１２ｙを一連に繋ぐようにして取り付けるようにしてもよい。
【００３４】
布団カバー１を構成する第１のカバー１１及び第２のカバー１２は、布団カバー１とし
て通常使用される布で形成させればよく、例えば、綿、麻、絹等の天然繊維や、ポリエス
テル、アクリル等の合成繊維等の従来公知の繊維で形成させることができる。また、別布
１４や第２の別布１５は、例えば、綿、麻、絹等の天然繊維や、ポリエステル、アクリル
等の合成繊維等の従来公知の合成繊維や皮革、合成皮革等で形成させることができる。
【００３５】
本実施形態にあっては、第１のカバー等１１，１２の他の辺については、第１のカバー
１１と第２のカバー１２の周縁が縫製することにより袋状とされている。そして、使用に
際しては、前記したスライドファスナー１３１を開けた状態で、開口部１３より布団２を
入れ、スライドファスナー１３１を閉じることにより、布団２は布団カバー１の内側に収
納される。このようにして、布団２は布団カバー１に被覆されることになる。
【００３６】
（II）本発明の布団カバー１のクッション３（図１０参照）としての使用方法の一例：
また、本発明の布団カバー１は、布団２を被覆した状態で、例えば、下記手順（１）〜
（５）のようにして折りたたむことにより、クッション３として使用することができる。
【００３７】
ここで、図６は布団２が収納された布団カバー１を縦半分に折り返した状態を示した斜
視図、図７は、縦半分に折り返した布団カバー１を更に内側に三つ折りにした状態を示し
た斜視図、図８は、リバーシブルファスナー１６，１７を開け、第２のカバー１２（及び
第２の別布１５）を折り返した状態を示した斜視図、図９は、第２の別布１５を捲り上げ
た状態を示した斜視図、図１０はクッション３の斜視図、をそれぞれ示す。
【００３８】
（１）まず、使用者（図示しない）から見て、隅部１１ａ，１２ａ（図１参照）が左手前
となる状態として、図６のように、布団カバー１の縦辺同士が重なり合うようにして、図
６の矢印方向に縦半分に折り返す。
【００３９】
（２）次いで、図７のように、図７の矢印方向に内側に三つ折りにする。これにより、縦
辺と横辺が概ね縦辺／横辺＝３／２とした当初の布団カバー１の１／６の大きさの略正方
形状となる。なお、この状態では、第２のカバー１２が上面（図７の手前側）に現れてい
ることになる。
【００４０】
（３）（２）の状態で、図８のように、２つのリバーシブルファスナー１６，１７をとも
に開けて、上面に現れている第２のカバー１２を折り返す。これにより、第２の別布１５
及び別布１４が現れる。
【００４１】
（４）第２の別布１５を引き上げ、当該第２の別布の隅部１５ａと別布の隅部１４ａが重
なり合い、別布１４及び第２の別布１５が外側に現れるように、第２の別布１５を図８の
矢印方向に捲り上げるようにする。これにより、折りたたまれた布団等２，１１，１２は
、図９に示すように全て別布１４及び第２の別布１５に覆われることになる。また、別布
１４及び第２の別布１５の表面における、別布の他の隅部１４ｂ（及び第２の別布の他の
隅部１５ｂ）に取り付けられたタブ１８が、図９に示すように、クッション３の隅部に取
り付けられたタブ１８として外側に現れることになる。
【００４２】
（５）最後に、２つのリバーシブルファスナー１６，１７をともに閉じて、取り付けられ
たタブ１８を引っ張ることにより、形状が整えられ、略正方形状のクッション３となる（
図１０参照）。また、このようにクッション３となった場合には、外側に現れるのは表面
に模様が施された別布１４と第２の別布１５となり、装飾性が良好なクッション３となる
一方、第１のカバー１１、第２のカバー１２及び布団２は全て別布１４及び第２の別布１
５の内側に隠れ、クッション３の外側に現れることはない。
【００４３】
（III）本発明の効果：
以上説明した構成の本発明の布団カバー１によれば、布団２を収納した状態で掛け布団
等として使用できるだけでなく、例えば前記（１）〜（５）の手順により折りたたんだ状
態で、別布１４及び第２の別布１５を外側に現し、リバーシブルファスナー１６，１７を
閉めることによりクッション３として使用することができ、また、クッション３とするこ
とができることにより、掛け布団等として使用しない場合にも、保管について場所をとら
ず、携帯性・収納性にも優れる。また、折りたたんでクッション３とした場合に外側に現
れる別布１４及び第２の別布１５が、第１のカバー１１や第２のカバー１２の内面に載置
されて布団カバー１の内側に隠れている構成を採用しているので、通常の掛け布団等とし
て使用する場合には別布等１４，１５が汚れることがなく、布団カバー１の汚損を効率よ
く抑制することができる。
【００４４】
また、布団カバー１の外観としても、通常の掛け布団等として使用する場合には、別布
１４や第２の別布１５が外側に現れないことから布団カバー１としての美観も向上する。
そして、本実施形態にあっては、クッション３の外側に現れる別布１４及び第２の別布１
５の表面には模様が施されているので、クッション３として使用した場合における装飾性
がより向上した布団カバー１となる。また、別布１４及び第２の別布１５の面積は第１の
カバー１１や第２のカバー１２と比べて小さく、交換も容易なので、インテリア嗜好等に
併せて、種々の模様等を施すことが可能となる。
【００４５】
［実施形態の変形］
なお、以上説明した態様は、本発明の一態様を示したものであって、本発明は、前記し
た実施形態に限定されるものではなく、本発明の構成を備え、目的及び効果を達成できる
範囲内での変形や改良が、本発明の内容に含まれるものであることはいうまでもない。ま
た、本発明を実施する際における具体的な構造及び形状等は、本発明の目的及び効果を達
成できる範囲内において、他の構造や形状等としても問題はない。本発明は前記した各実
施形態に限定されるものではなく、本発明の目的を達成できる範囲での変形や改良は、本
発明に含まれるものである。
【００４６】
例えば、前記した第１実施形態等では、別布１４と第２の別布１５は、それぞれ別々の
布で形成された構成を示したが、別布１４と第２の別布１５を一体化させて、１枚の布で
形成させるようにしてもよい。これにより、布のロスを低減化でき、また、製造も簡略化
できることにより、コストの削減につながる。また、第１のカバー１１と第２のカバー１
２も、一体化させて、１枚の布で形成させるようにしてもよい。
【００４７】
前記した第１実施形態等の布団カバー１は、図１等に示すように、布団カバー１の縦辺
と横辺を概ね縦辺／横辺＝３／２、別布及び第２の別布の形状を略正方形状とし、また、
これらの寸法は、１辺が布団カバー１の縦辺に対して１／３と同じかやや長い長さ、布団
カバー１の横辺に対して１／２と同じかやや長い長さとし、別布１４及び第２の別布１５
は、布団カバー１全体の１／６と同じかやや大きいサイズとした態様を示したが、第１実
施形態において挙げた布団カバー１（第１のカバー１１，第２のカバー１２）、別布１４
、第２の別布１５等の寸法はあくまでも例示であり、これには限定されない。すなわち、
本発明の布団カバー１（第１のカバー１１及び第２のカバー１２）における縦辺と横辺の
比、別布１４及び第２の別布１５の形状や寸法は、任意に決定することができ、例えば、
折りたたんでクッション３とした場合に外側に現れる別布１４や第２の別布１５は、矩形
状であれば、略正方形状のほか、略長方形状としてもよい。また、別布１４や第２の別布
１５の寸法も、布団カバー１の横辺の１／２と同じかやや長い長さを１辺とする正方形と
した前記した実施形態のほか、布団カバー１の横辺の１／２と同じかやや長い長さを長辺
や短辺とする略長方形状としてもよい。加えて、別布及び第２の別布の形状が、布団カバ
ーの横辺の１／３と同じかやや長い長さを長辺または短辺とする略長方形状や、布団カバ
ー１の横辺の１／３と同じかやや長い長さを１辺とする略正方形状としても問題はない。
更には、別布１４や第２の別布１５は、布団カバー１の寸法に対してここに示す以外の寸
法の略長方形状や略正方形状としても全く問題はない。
【００４８】
また、かかる形状を任意に設定することにより、前記した第１実施形態における（１）
〜（５）で示した使用方法についても、例えば（１）における縦半分の折り返しが、三つ
折りないしはそれ以上の折り返しとなり、（２）における三つ折りについても、二つ折り
、四つ折りあるいはそれ以上の折りとなる場合もあり、これらの方法については、布団カ
バー１（第１のカバー１１及び第２のカバー１２）の縦辺と横辺の比、別布１４及び第２
の別布１５の形状や寸法等により、布団２等が収納された布団カバー１を適当に折りたた
んで、その後、別布１４及び第２の別布１５が外側に現れるようにできる方法として、適
宜決定することができる。
【００４９】
また、前記した第１実施形態等では、折りたたんでクッション３とした場合に外側に現
れる別布１４及び第２の別布１５の表面の装飾性を向上させるべく、これらの表面に格子
模様を施した態様を示したが、別布等１４，１５に対しては任意のデザインを施すことが
できる。装飾性を向上させるための装飾処理としては、模様の他、例えば、色彩、絵柄等
を施すようにすればよい。また、別布１４と第２の別布１５の色、柄、素材等を工夫し、
コーディネートすることも可能である。
その他、本発明の実施の際の具体的な構造及び形状等は、本発明の目的を達成できる範
囲で他の構造等としてもよい。
【産業上の利用可能性】
【００５０】
本発明は、例えば、掛け布団、敷き布団、及び毛布といった布団等を収納・被覆する布
団カバーとして有利に使用することができる。
【図面の簡単な説明】
【００５１】
【図１】本発明の第１実施形態に係る布団カバーを示す正面図である。
【図２】図１の布団カバーを示す背面図である。
【図３】図１において、隅部付近の部分拡大図である。
【図４】図１において、第１のカバーと第２のカバーを開いた展開図である。
【図５】図１のＶ−Ｖ断面図である。
【図６】布団が収納された布団カバーを縦半分に折り返した状態を示した斜視図である。
【図７】縦半分に折り返した布団カバーを更に内側に三つ折りにした状態を示した斜視図である。
【図８】リバーシブルファスナーを開け、第２のカバーを折り返した状態を示した斜視図である。
【図９】第２の別布を捲り上げた状態を示した斜視図である。
【図１０】クッションの斜視図である。
【符号の説明】
【００５２】
１    布団カバー
２    布団
３    クッション
５，６  空間
１１    第１のカバー
１１ａ  第１のカバーの隅部
１１ｘ  第１のカバーの隅部から延びる縦辺
１１ｙ  第１のカバーの隅部から延びる横辺
１２    第２のカバー
１２ａ  第２のカバーの隅部
１２ｘ  第２のカバーの隅部から延びる縦辺
１２ｙ  第２のカバーの隅部から延びる横辺
１３    開口部
１３１  スライドファスナー
１４    別布
１４ａ  別布の隅部
１４ｂ  別布の他の隅部
１４ｘ，１４ｙ    別布の隅部から延びる２辺
１４ｖ、１４ｚ    残りの２辺
１５    第２の別布
１５ａ  第２の別布の隅部
１５ｂ  第２の別布の他の隅部
１５ｘ，１５ｙ    第２の別布の隅部から延びる２辺
１５ｖ、１５ｚ    残りの２辺
１６    リバーシブルファスナー
１６１  スライダ
１７    リバーシブルファスナー
１７１  スライダ
１８    タブ
【図１】
2008043718.tif 000003
【図２】
2008043718.tif 000004
【図３】
2008043718.tif 000005
【図４】
2008043718.tif 000006
【図５】
2008043718.tif 000007
【図６】
2008043718.tif 000008
【図７】
2008043718.tif 000009
【図８】
2008043718.tif 000010
【図９】
2008043718.tif 000011
【図１０】
2008043718.tif 000012